(57)【要約】【課題】ＳＴＰケーブルのコネクタを付け替えることなく、ＳＴＰケーブルの片端を電気的に浮かして、ＳＴＰケーブルのシールド層に電流が流れるのを防止することができるＳＴＰケーブル対応スイッチングハブを提供する。【解決手段】ＳＴＰケーブルを使用することができるＳＴＰケーブル対応スイッチングハブであって、ＳＴＰケーブル１４のコネクタ１５の金属シールドと電気的に接続し、且つ、アース１２と電気的に接続するフレームグランド１３と、フレームグランド１３とアース１２の間に、フレームグランド１３とアース１２を電気的に接続する接続状態と、フレームグランドとアースを電気的に接続しない非接続状態との間で切り替え可能な切替スイッチ１１とを備える。【選択図】図１
2013255139.tif 000002
【特許請求の範囲】
【請求項１】
ＳＴＰケーブルを使用することができるＳＴＰケーブル対応スイッチングハブであって、
ＳＴＰケーブルのコネクタの金属シールドと電気的に接続し、且つ、アースと電気的に接続するフレームグランドと、
前記フレームグランドと前記アースの間に、前記フレームグランドと前記アースを電気的に接続する接続状態と、前記フレームグランドと前記アースを電気的に接続しない非接続状態との間で切り替え可能な切替スイッチと
を備えるＳＴＰケーブル対応スイッチングハブ。
【発明の詳細な説明】
【技術分野】
【０００１】
本発明は、ＳＴＰケーブルを使用することができるＳＴＰケーブル対応スイッチングハブに関するものである。
【背景技術】
【０００２】
ローカルエリアネットワークでは、一般的に、シールド無ツイストペア（以下、「ＵＴＰ（Ｕｎｓｈｉｅｌｄｅｄ  Ｔｗｉｓｔｅｄ  Ｐａｉｒ）」と略す。）ケーブルが使用されている。ＵＴＰケーブルは、その設置環境にもよるが、ケーブル長が長くなると、外部からのノイズの影響を受けやすくなるという問題がある。
【０００３】
外部からのノイズの影響を受けにくいケーブルとして、ケーブルの被覆にシールド層を設けたシールド付ツイストペア（以下、「ＳＴＰ（Ｓｈｉｅｌｄｅｄ  Ｔｗｉｓｔｅｄ  Ｐａｉｒ）」と略す。）ケーブルが使用されている（例えば、特許文献１）。ＳＴＰケーブルの端部には、金属シールドを有するコネクタが設けられる。この際、ＳＴＰケーブルのシールド層とコネクタの金属シールドとが電気的に接続される。一方、ＳＴＰケーブルを使用することができるスイッチングハブでは、ＳＴＰケーブルのコネクタを装着したとき、コネクタの金属シールドとスイッチングハブのフレームグランドとが電気的に接続する構造を有する。スイッチングハブのフレームグランドは、スイッチングハブが設置される設置設備のアースに電気的に接続される。外部からのノイズがＳＴＰケーブルのシールド層に重畳した場合、当該ノイズは、シールド層、コネクタの金属シールド、スイッチングハブのフレームグランドを経由して、最終的に設置設備のアースに逃げる仕組みとなっている。
【先行技術文献】
【特許文献】
【０００４】
【特許文献１】特開２０００−１５６１２４号公報
【発明の概要】
【発明が解決しようとする課題】
【０００５】
異なる設置設備に設置されている２台のスイッチングハブの間をＳＴＰケーブルで接続する場合、設置設備が異なることから、２台のスイッチングハブの接地抵抗に差が生じる場合がある。このような接地抵抗の差が生じると、ＳＴＰケーブルの両端で電位差が発生し、ＳＴＰケーブルのシールド層に電流が流れる。このような状態となると、ＳＴＰケーブル内の信号線にノイズが重畳してしまい、通信エラーの原因となる。
【０００６】
一般的に、接地抵抗に差が生じるおそれがある場合、例えば、ＳＴＰケーブルが接続されるスイッチングハブの接地抵抗２Ω以下を確保できない場合、ＳＴＰケーブルの両端に電位差を発生させないために、ＳＴＰケーブルの片端を電気的に浮かして接続する。ＳＴＰケーブルの片端を電気的に浮かすためには、ＳＴＰケーブルの片端のコネクタを金属シールドを有さない絶縁性のコネクタに付け替える必要がある。このようなコネクタの付け替えは手間がかかるという問題があった。
【０００７】
そこで、本発明は、ＳＴＰケーブルのコネクタを付け替えることなく、ＳＴＰケーブルの片端を電気的に浮かして、ＳＴＰケーブルのシールド層に電流が流れるのを防止することができるＳＴＰケーブル対応スイッチングハブを提供することを目的とする。
【課題を解決するための手段】
【０００８】
本願発明は上記目的を達成するために、ＳＴＰケーブルを使用することができるＳＴＰケーブル対応スイッチングハブであって、ＳＴＰケーブルのコネクタの金属シールドと電気的に接続し、且つ、アースと電気的に接続するフレームグランドと、フレームグランドとアースの間に、フレームグランドとアースを電気的に接続する接続状態と、フレームグランドとアースを電気的に接続しない非接続状態との間で切り替え可能な切替スイッチとを備えるＳＴＰケーブル対応スイッチングハブである。
【発明の効果】
【０００９】
本発明のＳＴＰケーブル対応スイッチングハブによれば、ＳＴＰケーブルのコネクタを付け替えることなく、ＳＴＰケーブルの片端を電気的に浮かして、ＳＴＰケーブルのシールド層に電流が流れるのを防止することができる。
【図面の簡単な説明】
【００１０】
【図１】本実施形態のＳＴＰケーブル対応スイッチングハブをＳＴＰケーブルで接続した概略構成図である。
【発明を実施するための形態】
【００１１】
以下、図面を参照して、本発明の実施形態を説明する。
【００１２】
図１は、本実施形態のＳＴＰケーブル対応スイッチングハブ（以下、「スイッチングハブ」と略す。）をＳＴＰケーブルで接続した概略構成図である。
【００１３】
図１において、２台のスイッチングハブ１０はＳＴＰケーブル１４によって接続されている。
【００１４】
ＳＴＰケーブル１４は、ケーブルの被覆にシールド層を有する。ＳＴＰケーブル１４は、その両端にコネクタ１５が設けられている。コネクタ１５は表面に金属シールドを有し、金属シールドはＳＴＰケーブル１４のシールド層と電気的に接続されている。
【００１５】
スイッチングハブ１０は、例えば、ローカルエリアネットワークに用いられるイーサネット（登録商標）スイッチである。スイッチングハブ１０は、複数のポートを備える。ポートにＳＴＰケーブル１４のコネクタ１５を装着することにより、スイッチングハブ１０にＳＴＰケーブル１４が接続される。
【００１６】
スイッチングハブ１０は、ＳＴＰケーブル１４を使用することができるスイッチングハブであり、そのために、コネクタ１５をポートに装着したときにコネクタ１５の金属シールドと電気的に接続するフレームグランド１３を備える。フレームグランド１３は、スイッチングハブ１０が設置される設置設備のアース１２と電気的に接続される。これにより、ＳＴＰケーブル１４のシールド層に重畳した外部のノイズは、コネクタ１５の金属シールド、スイッチングハブ１０のフレームグランド１３を経由して、設置設備のアース１２に逃がされる。
【００１７】
ここで、本実施形態のスイッチングハブ１０は、フレームグランド１３とアース１２の間に、フレームグランド１３とアース１２を電気的に接続する接続状態と、フレームグランド１３とアース１２を電気的に接続しない非接続状態との間で切り替え可能な切替スイッチ１１を備える。切替スイッチ１１による接続状態と非接続状態の間の切り替えは、機械的な機構により、又は、電子回路的な機構により実現される。
【００１８】
２台のスイッチングハブ１０の間をＳＴＰケーブル１４で接続したとき、ＳＴＰケーブル１４の両端で電位差が発生するおそれがある場合、例えば、スイッチングハブ１０の接地抵抗が２Ω以下を確保できない場合、一方のスイッチングハブ１０の切替スイッチ１１を非接続状態とし、他方のスイッチングハブ１０の切替スイッチ１１を接続状態となるように設定する。これにより、ＳＴＰケーブル１４は電気回路的に片端が浮いた状態となるので、ＳＴＰケーブル１４の両端に電位差が発生せず、ＳＴＰケーブル１４のシールド層に電流が流れることを防止できる。
【００１９】
以上のように、本実施形態のスイッチングハブ１０によれば、フレームグランド１３とアース１２を電気的に接続する接続状態と、フレームグランド１３とアース１２を電気的に接続しない非接続状態との間で切り替え可能な切替スイッチ１１を備えることにより、ＳＴＰケーブル１４のシールド層に電流が流れることを防止することを目的にＳＴＰケーブルの片端を電気的に浮かしたい場合、切替スイッチ１１を非接続状態とすればよい。したがって、本実施形態のスイッチングハブ１０は、ＳＴＰケーブルのコネクタを付け替えることなく、ＳＴＰケーブルの片端を電気的に浮かして、ＳＴＰケーブルのシールド層に電流が流れるのを防止することができる。
【符号の説明】
【００２０】
１０：ＳＴＰケーブル対応スイッチングハブ（スイッチングハブ）
１１：切替スイッチ
１２：アース
１３：フレームグランド
１４：ＳＴＰケーブル
１５：コネクタ
【図１】
2013255139.tif 000003